(57)【要約】  制御可能な状態で第１状態と第２状態との間で切り替わる入力インターフェイスと、一つの交流電源及び入力インターフェイスに電気的に接続し、入力インターフェイスが第１状態にあるときは、交流電源の波形を変えて、交流電源の波形の半波周期に一つの遅れ導通角を生成してこれを出力する位相角制御モジュールと、制御可能な状態で発光できる照明具と、位相角制御モジュール及び照明具に電気的に接続し、一つのプリセット照明モード及び一つの照度調整モードがあり、位相角制御モジュールから出力される電気エネルギーを受け取った後、遅れ導通角をもとにモードの切り替えを行う駆動モジュール。【選択図】  図１
2016523428.tif 000002
【特許請求の範囲】
【請求項１】
照明システムであって、
制御可能な状態で第１状態と第２状態との間で切り替わる入力インターフェイスと、
一つの交流電源及び入力インターフェイスに電気的に接続し、入力インターフェイスが第１状態にあるときは、交流電源の波形を変えて、交流電源の波形の半波周期に一つの遅れ導通角を生成してこの遅れ導通角を出力する位相角制御モジュールと、
制御可能な状態で発光できる照明具と、
前記位相角制御モジュール及び前記照明具に電気的に接続し、一つのプリセット照明モード及び一つの照度調整モードがあり、前記位相角制御モジュールから出力される電気エネルギーを受け取った後、前記遅れ導通角をもとにモードの切り替えを行う駆動モジュールと、を備え、
前記プリセット照明モードは前記照明具を駆動してプリセットされた照度を持つ光を発することができ、
前記照度調整モードの駆動により前記照明具が発する光が第１照度と第２照度との間で変化し、前記入力インターフェイスの状態が変わると、その輝度変化の制御が停止し、前記照明具のその時点の光の照度を記録した後、記録された照度が前記プリセット照明モードで前記プリセットされた照度を上書きして、これにより前記照明具が新しいプリセット照度を持つ光を発する照明システム。
【請求項２】
前記入力インターフェイスは第２状態において、前記位相角制御モジュールから出力される電気エネルギーの波形に遅れ導通角を生成しない請求項１に記載の照明システム。
【請求項３】
前記駆動モジュールは、互いに電気的に接続された一つの電力変換回路、一つの位相角検知回路及び一つのプロセッサーを備え、
前記電力変換回路は前記位相角制御モジュール及び前記照明具に電気的に接続し、前記位相角制御モジュールから出力される電気エネルギーを前記照明具に必要な電気エネルギーに変える役割を果たし、
前記位相角検知回路は前記位相角制御モジュール電気的に接続し、前記遅れ導通角を検知し、
前記プロセッサーにはいくつかのモードが内蔵されており、前記プロセッサーは前記位相角検知回路で検知された遅れ導通角をもとにモードの切り替えを行い、電力変換回路を制御して照明具に光を発させている請求項１に記載の照明システム。
【請求項４】
前記照度調整モードは、前記照明具が発する光が前記第１、第２照度の間にある第３照度から変化するよう駆動する請求項１または請求項３に記載の照明システム。
【請求項５】
複数の前記照明具と複数の前記駆動モジュールを備え、前記各位相角検知回路は前記位相角制御モジュールから出力される電気エネルギーの波形を検知することができ、前記各プロセッサーが前記照度調整モードに切り替わると、前記各プロセッサーは前記各位相角検知回路で検知された波形の周期の少なくとも一つの基準点において、前記各照明具が発生する光の照度差値を変えていく請求項３に記載の照明システム。
【請求項６】
前記基準点は前記各位相角検知回路で検知された波形の周期のゼロクロス点（ｚｅｒｏ  ｃｒｏｓｓｉｎｇ）である請求項５に記載の照明システム。
【請求項７】
前記基準点は前記各位相角検知回路で検知された波形の周期のピーク値である請求項５に記載の照明システム。
【請求項８】
前記駆動モジュールにはさらに一つのフル照明モードがあり、前記フル照明モードの駆動により前記照明具は許容された最大照度の光を発することができる請求項１に記載の照明システム。
【請求項９】
前記照明具は複数の第１光源及び複数の第２光源を備え、前記第１光源の光色は前記第２光源の光色と異なっており、
前記プリセット照明モードには一つの輝度比情報が含まれており、前記輝度比情報は前記プリセット照明モードのときに，前記第１、第２光源の輝度比を記録したものであり、
前記輝度比とは、前記第１、第２光源が発した光の照度がプリセットされた照度に占める割合であり、
前記駆動モジュールにはさらに一つの色度調整モードがあって、前記色度調整モードの駆動により照明具が光を発し、前記プリセットされた照度を変えることなく、前記照明具の前記第１光源及び前記第２光源の輝度比を何度も変えて、前記入力インターフェイスの状態が変わると、前記第１、第２光源の輝度比の変化制御が停止し、その時点の前記第１、第２光源の輝度比を記録し、記録された輝度比でプリセット照明モードの古い輝度比情報を上書きして、これにより前記第１、前記第２光源が新しい輝度比を持つ光を発する請求項１に記載の照明システム。
【請求項１０】
前記遅れ導通角の角度が９０度又はそれ以下である請求項１に記載の照明システム。
【請求項１１】
前記遅れ導通角は前記交流電源の波形の正半波より生成されている請求項１に記載の照明システム。
【請求項１２】
前記入力インターフェイスは一つのスイッチを備え、前記スイッチはノーマルオープン式押しボタンスイッチで、前記スイッチが押されると前記第１状態である短絡状態になり、前記スイッチが押されていない時は自動的にリセットされて第２状態である開路状態になる請求項１または請求項２に記載の照明システム。
【請求項１３】
前記入力インターフェイスは複数の前記スイッチを備え、これらのスイッチが押されると、前記位相角制御モジュールは対応する異なる角度の前記遅れ導通角を生成し、前記駆動モジュールは前記遅れ導通角の角度をもとに前記スイッチの状態を識別し、前記スイッチの状態をもとにモードの切り替えを行う請求項１２に記載の照明システム。
【請求項１４】
照明システムであって、
制御可能な状態で抵抗値を変更できる加減抵抗器と、
前記交流電源及び前記加減抵抗器に電気的に接続し、前記加減抵抗器の抵抗値をもとに前記交流電源の波形を変えて、前記交流電源の波形の半波周期に遅れ導通角を生成してからこの遅れ導通角を出力し、前記遅れ導通角の角度は前記加減抵抗器の抵抗値とともに変化する性質を持つ位相角制御モジュールと、
制御可能な状態で光を発する照明具と、
前記位相角制御モジュール及び前記照明具に電気的に接続し、前記交流電源から電気エネルギーを受け取って前記照明具に必要なものに変える役割を果たし、前記位相角制御モジュールから出力される電気エネルギーを受け取った後、前記遅れ導通角の角度をもとに前記照明具の発する光を制御する駆動モジュールと、
を備える照明システム。
【請求項１５】
前記遅れ導通角の最大角度は９０度である請求項１４に記載の照明システム。
【請求項１６】
前記加減抵抗器の抵抗値がゼロになると、前記遅れ導通角の角度はゼロより大きい請求項１４に記載の照明システム。
【請求項１７】
前記遅れ導通角は、前記交流電源の波形の正半波より生成されている請求項１４に記載の照明システム。
【請求項１８】
交流電源と照明具との間に設けられる位相角信号伝送装置であって、
制御可能な状態で短絡状態と開路状態との間で切り換えられるスイッチと、
前記交流電源及び前記スイッチに電気的に接続し、前記スイッチが短絡状態にあるときは前記交流電源の波形を変えて前記交流電源の波形の半波周期に遅れ導通角を生成してからこの遅れ導通角を出力し、前記スイッチが開路状態のときは出力される電気エネルギーの波形に前記遅れ導通角が生成されない性質を持つ位相角制御モジュールと、
前記位相角制御モジュール及び前記照明具に電気的に接続し、前記位相角制御モジュールから出力される電気エネルギーを受け取り、前記遅れ導通角をもとに前記スイッチの状態を判断して対応する電気信号を発生して前記照明具の発する光を制御する駆動モジュールと、
を備える位相角信号伝送装置。
【請求項１９】
交流電源と照明具との間に設けられる位相角信号伝送装置であって、
制御可能な状態で抵抗値を変更できる加減抵抗器と、
前記交流電源及び前記加減抵抗器に電気的に接続し、前記加減抵抗器の抵抗値をもとに前記交流電源の波形を変えて、前記交流電源の波形の半波周期に遅れ導通角を生成してからこの遅れ導通角を出力し、前記遅れ導通角の角度は前記加減抵抗器の抵抗値とともに変化する性質を持つ位相角制御モジュールと、
前記位相角制御モジュール及び前記照明具に電気的に接続し、前記位相角制御モジュールから出力される電気エネルギーを受け取り、前記遅れ導通角の角度をもとに対応する電気信号を発生して前記照明具の発する光を制御する駆動モジュールと
を備える位相角信号伝送装置。
【発明の詳細な説明】
【技術分野】
【０００１】
本発明は照明具制御に関わり、特に一種の照明システム及びその位相角信号伝送装置に関わる。
【背景技術】
【０００２】
従来の建築物における屋内配線の場合、天井の電気ボックスと壁上の電気ボックスとの間に２本のスイッチ接続用の電線を残していたのが一般的だった。電気設備（照明具または扇風機などの負荷）を取り付けるときは、電気設備を天井に固定し、電源線の片側を電気設備と接続し、もう片端を事前保留しておいた電線を介して一つのスイッチと直列接続したあと、再び当該電気設備に戻り、一つの電源回路を作り上げている。当該スイッチを切り替えることにより、電気設備のオンオフを制御することができる。
【０００３】
技術の進歩に伴い、電気設備も日々多機能化が進んでいる。ＬＥＤ照明システムの場合は、今時のＬＥＤ照明システムは単純なオンオフ制御のほかに、さらに照度、色度調整機能を備えており、ゆえに従来の電源回路のほかに、制御信号を壁上の制御盤から天井に取り付けられたＬＥＤモジュールに伝送する新たな制御回線を増設する必要がある。
【０００４】
そのため、亮度と色度の調整機能を備えるＬＥＤ照明システムを設置するには、別途制御回線を配線し、この制御回線を介して制御信号を伝送し、制御照明システムのＬＥＤモジュールに送る必要があった。しかし、制御回線の新規配線は、建築物の改修や改装コストの増加につながる恐れもある。
【０００５】
もちろん、制御回線を増設することなく制御信号の伝送を実現できる方法が二つもある。即ち無線伝送と搬送波伝送である。無線伝送とは、ＬＥＤモジュール及び壁上の制御盤にそれぞれ無線受信機と発信機を装着して無線方式にて制御信号を伝送してＬＥＤモジュールを制御するものである。搬送波伝送とは、可変レギュレータを利用して制御信号を周波数変調信号または振幅変調信号に変換した後、電力線を介して伝送して解調器を元の制御信号に戻してからＬＥＤモジュールを制御するものである。
【０００６】
しかし、前記二つの方法の実現に必要な設備コストが高く、しかも建物の壁上にある発信機及び可変レギュレータにはいずれも外部からの電源線が必要で、その配線工事にとても手間がかかる。また、無線または搬送波にて伝送される信号は他の無線信号から干渉されやすく、各国のＥＭＩやＥＭＳ安全認証の取得も一大ハードルといえる。
【先行技術文献】
【特許文献】
【０００７】
【特許文献１】中国特許公開第１０３３６９７８０号
【発明の概要】
【０００８】
本発明の目的は、電源回路の配線を利用して信号を伝送できる一種の照明システム及びその位相角信号伝送装置を提供することである。
【０００９】
上記目的を達成するため、本発明により提供される照明システムは、一つの入力インターフェイス、一つの位相角制御モジュール、一つの照明具及び一つの駆動モジュールを備える。このうち、入力インターフェイスは、制御可能な状態で第１状態と第２状態との間で切り替わる。位相角制御モジュールは一つの交流電源及び入力インターフェイスに電気的に接続し、入力インターフェイスが第１状態にあるときは、位相角制御モジュールは交流電源の波形を変えて、交流電源の波形の半波周期に一つの遅れ導通角を生成してこれを出力する。照明具は制御可能な状態で発光することができる。駆動モジュールは位相角制御モジュール及び照明具に電気的に接続し、駆動モジュールには一つのプリセット照明モード及び一つの照度調整モードがあり、位相角制御モジュールから出力される電気エネルギーを受け取った駆動モジュールは、遅れ導通角をもとにモードの切り替えを行って照明具の発光を制御している。このうち、プリセット照明モードは照明具を駆動してプリセットされた照度を持つ光を発することができる。照度調整モードの駆動により照明具が発する光が第１照度と第２照度との間で変化し、入力インターフェイスの状態が変わると、その照度変化の制御が停止し、照明具のその時点の光の照度を記録した後、記録された照度がプリセット照明モードでプリセットされた照度を上書きして、これにより照明具が新しいプリセット照度を持つ光を発する。
【００１０】
上記目的を達成するため、本発明により提供される照明システムにおいて、入力インターフェイスは第２状態において、位相角制御モジュールから出力される電気エネルギーの波形に遅れ導通角を生成しないことを特徴とする。
【００１１】
上記目的を達成するため、本発明により提供される照明システムにおいて、駆動モジュールは互いに電気的に接続された一つの電力変換回路、一つの位相角検知回路及び一つのプロセッサーを備え、電力変換回路は位相角制御モジュール及び照明具に電気的に接続し、位相角制御モジュールから出力される電気エネルギーを照明具に必要な電気エネルギーに変える役割を果たしている。位相角検知回路は位相角制御モジュール電気的に接続し、遅れ導通角を検知している。プロセッサーにはいくつかのモードが内蔵されており、プロセッサーは位相角検知回路で検知された遅れ導通角をもとにモードの切り替えを行い、電力変換回路を制御して照明具に光を発させていることを特徴とする。
【００１２】
上記目的を達成するため、本発明により提供される照明システムにおいて、照度調整モードは、照明具が発する光が第１、第２照度の間にある第３照度から変化するよう駆動することを特徴とする。
【００１３】
上記目的を達成するため、本発明により提供される照明システムにおいて、複数の照明具と複数の駆動モジュールを備え、各位相角検知回路は位相角制御モジュールから出力される電気エネルギーの波形を検知することができ、各プロセッサーが照度調整モードに切り替わると、各プロセッサーは各位相角検知回路で検知された波形の周期の少なくとも一つの基準点において、各照明具が発生する光の照度差値を変えていくことを特徴とする。
【００１４】
上記目的を達成するため、本発明により提供される照明システムにおいて、基準点は各位相角検知回路で検知された波形の周期のゼロクロス点（zero crossing）であることを特徴とする。
【００１５】
上記目的を達成するため、本発明により提供される照明システムにおいて、基準点は各位相角検知回路で検知された波形の周期のピーク値であること特徴とする。
【００１６】
上記目的を達成するため、本発明により提供される照明システムにおいて、駆動モジュールにはさらに一つのフル照明モードがあり、フル照明モードの駆動により照明具は許容された最大照度の光を発することができることを特徴とする。
【００１７】
上記目的を達成するため、本発明により提供される照明システムにおいて、照明具は複数の第１光源及び複数の第２光源を備え、第１光源の光色は第２光源の光色と異なっている。プリセット照明モードには一つの輝度比情報が含まれており、輝度比情報はプリセット照明モードのときに，第１、第２光源の輝度比を記録したものである。輝度比とは、第１、第２光源が発した光の照度がプリセットされた照度に占める割合である。駆動モジュールにはさらに一つの色度調整モードがあって、色度調整モードの駆動により照明具が光を発し、プリセットされた照度を変えることなく、照明具の第１光源及び第２光源の輝度比を何度も変えて、入力インターフェイスの状態が変わると、第１、第２光源の輝度比の変化制御が停止し、その時点の第１、第２光源の輝度比を記録し、記録された輝度比でプリセット照明モードの古い輝度比情報を上書きして、これにより第１、第２光源が新しい輝度比を持つ光を発することを特徴とする。
【００１８】
上記目的を達成するため、本発明により提供される照明システムにおいて、遅れ導通角の角度が９０度又はそれ以下であることを特徴とする。
【００１９】
上記目的を達成するため、本発明により提供される照明システムにおいて、遅れ導通角は交流電源の波形の正半波より生成されていることを特徴とする。
【００２０】
上記目的を達成するため、本発明により提供される照明システムにおいて、入力インターフェイスは一つのスイッチを備え、スイッチはノーマルオープン式押しボタンスイッチで、スイッチが押されると第１状態、即ち短絡状態になる。スイッチが押されていない時は自動的にリセットされて第２状態、即ち開路状態になることを特徴とする。
【００２１】
上記目的を達成するため、本発明により提供される照明システムにおいて、入力インターフェイスは複数のスイッチを備え、これらのスイッチが押されると、位相角制御モジュールは対応する異なる角度の遅れ導通角を生成し、駆動モジュールは遅れ導通角の角度をもとにスイッチの状態を識別し、スイッチの状態をもとにモードの切り替えを行うことを特徴とする。
【００２２】
上記目的を達成するため、本発明により提供される一種の照明システムは、
制御可能な状態で抵抗値を変更できる加減抵抗器と、
交流電源及び加減抵抗器に電気的に接続し、加減抵抗器の抵抗値をもとに交流電源の波形を変えて、交流電源の波形の半波周期に遅れ導通角を生成してからこれを出力し、遅れ導通角の角度は加減抵抗器の抵抗値とともに変化する性質を持つ位相角制御モジュールと、
制御可能な状態で光を発する照明具と、
位相角制御モジュール及び照明具に電気的に接続し、交流電源から電気エネルギーを受け取って照明具に必要なものに変える役割を果たし、位相角制御モジュールから出力される電気エネルギーを受け取った後、遅れ導通角の角度をもとに照明具の発する光を制御する駆動モジュールと、から構成されることを特徴とする。
【００２３】
上記目的を達成するため、本発明により提供される照明システムにおいて、遅れ導通角の最大角度は９０度であることを特徴とする。
【００２４】
上記目的を達成するため、本発明により提供される照明システムにおいて、加減抵抗器の抵抗値がゼロになると、遅れ導通角の角度はゼロより大きいことを特徴とする。
【００２５】
上記目的を達成するため、本発明により提供される照明システムにおいて、遅れ導通角は、交流電源の波形の正半波より生成されていることを特徴とする。
【００２６】
上記目的を達成するため、本発明により提供される照明システムにおいて、交流電源と照明具との間に設けられる一種の位相角信号伝送装置であって、
制御可能な状態で短絡状態と開路状態との間で切り換えられるスイッチと、
交流電源及びスイッチに電気的に接続し、スイッチが短絡状態にあるときは、交流電源の波形を変えて、交流電源の波形の半波周期に遅れ導通角を生成してからこれを出力するが、スイッチが開路状態のときは、出力される電気エネルギーの波形に遅れ導通角が生成されない性質を持つ位相角制御モジュールと、
位相角制御モジュール及び照明具に電気的に接続し、位相角制御モジュールから出力される電気エネルギーを受け取り、遅れ導通角をもとにスイッチの状態を判断して対応する電気信号を発生して照明具の発する光を制御する駆動モジュールと、から構成されることを特徴とする。
【００２７】
本発明により提供される位相角信号伝送装置は、一つの交流電源と一つの照明具との間に設置され、一つのスイッチ、一つの位相角制御モジュール及び一つの駆動モジュールを備える。このうち、スイッチは制御可能な状態短絡状態と開路状態の間で切り替えることができる。位相角制御モジュールは交流電源及びスイッチに電気的に接続し、スイッチが短絡状態にあるときは、位相角制御モジュールは交流電源の波形を変えて、交流電源の波形の半波周期に一つの遅れ導通角を生成してこれを出力する。スイッチが開路状態にあるときは、位相角制御モジュールから出力される電気エネルギーの波形から遅れ導通角が生成されない。駆動モジュールは位相角制御モジュール及び照明具に電気的に接続し、駆動モジュールは位相角制御モジュールから出力される電気エネルギーを受け取り、遅れ導通角をもとにスイッチの状態を識別し、それに対応する電気信号を発生して照明具から発する光を制御している。
【００２８】
本発明の照明システム及びその位相角信号伝送装置を採用することで、電源回路の配線を利用するだけで信号の伝送を実現することができ、新たな制御回線配線を増設する必要がないため、照明システムの導入コストを削減することができる。
【図面の簡単な説明】
【００２９】
【図１】本発明の第１実施例の照明システムを示すブロック図である。
【図２Ａ】スイッチが導通される時に正半波後縁より生成される遅れ導通角を示す一つの波形図である。
【図２Ｂ】スイッチが導通した時に正半波後縁より生成される遅れ導通角を示す一つの波形図である。
【図３】本発明の第２実施例の照明システムを示すブロック図である。
【図４】本発明の第３実施例の照明システムを示すブロック図である。
【図５】本発明の第４実施例の照明システムを示すブロック図である。
【図６】本発明の第１実施例の照明システムの別の実施態様を示す説明図である。
【図７】本発明の第２実施例の照明システムの別の実施態様を示す説明図である。
【図８】本発明の第３実施例の照明システムの別の実施態様を示す説明図である。
【図９】本発明の第４実施例の照明システムの別の実施態様を示す説明図である。
【図１０】本発明の第５実施例の照明システムを示すブロック図である。
【図１１】本発明の第６実施例の照明システムを示すブロック図である。
【発明を実施するための形態】
【００３０】
図１は本発明の第１実施例の照明システム１であって、一つのＬＥＤモジュール１０を代表とする照明具、一つの入力インターフェイス１２、一つの位相角信号伝送装置１４を備える。
【００３１】
ＬＥＤモジュール１０は複数のＬＥＤを備える。入力インターフェイス１２は一つのスイッチ１２２を備え、スイッチ１２２はノーマルオープン式押しボタンスイッチで、使用者が押すと短絡状態（本発明における第１状態）になる。
【００３２】
位相角信号伝送装置１４は一つの位相角制御モジュール１６と一つの駆動モジュール１８を備える。このうち：
【００３３】
位相角制御モジュール１６は一つの交流電源Ｓ及びスイッチ１２２に電気的に接続し、位相角制御モジュール１６でスイッチ１２２の状態を検知し、スイッチ１２２が押されて導通すると、位相角制御モジュール１６が交流電源Ｓの波形を変えて、交流電源Ｓの波形の正半波周期に一つの遅れ導通角を生成してこれを出力する。スイッチ１２２が押されていないときは、スイッチ１２２が自動的にリセットされて開路状態（本発明における第２状態）になり、このとき位相角制御モジュール１６も交流電源Ｓの波形を変えないため、位相角制御モジュール１６から出力される波形に遅れ導通角が存在しない。遅れ導通角の角度は交流電源Ｓの高調波や力率の減り具合を下げるため、９０度かそれ以下が望ましい。
【００３４】
図２Ａに示すように、本実施例では、スイッチ１２２が押されると（図２Ａの波形１を参照）、位相角制御モジュール１６が交流電源Ｓの波形を変えて、その出力する電圧波形の正半波周期の後縁に遅れ導通角図２Ａの波形２を参照）を生成する。当然ながら、必要があれば図２Ｂに示すように正半波周期の前■に遅れ導通角を生成するように設計しても構わない。負半波前縁または後縁、もしくは正半波及び負半波周期の前縁または後縁に遅れ導通角を生成しても、スイッチ１２２が押されたかどうかをきちんと識別することができる。
【００３５】
駆動モジュール１８は互いに電気的に接続された一つの電力変換回路１８２と一つの制御ユニット１８４を備える。このうち、電力変換回路１８２は位相角制御モジュール１６及びＬＥＤモジュール１０に電気的に接続し、位相角制御モジュール１６から出力される電気エネルギーを受け取り、これをＬＥＤモジュール１０に必要な電気エネルギーに変える役割を果たしている。電力変換回路１８２は制御可能な状態でＬＥＤモジュール１０の開閉状態及び照度を変えることができる。本実施例では、電力変換回路１８２はパルス幅変調（Pulse Width Modulation、PWM）回路をベースにしたものであり、パルス幅変調方式によりＬＥＤモジュール１０に送信される電気信号のパルス時間幅を調整することできる。もちろん、実際には電力変換回路１８２は電気信号の強さを調整する回路またはその他の電気信号を調整する回路でも構わない。
【００３６】
制御ユニット１８４は一つの位相角検知回路１８４Ａと一つのプロセッサー１８４Ｂを備え、このうち位相角検知回路１８４Ａは位相角制御モジュール１６に電気的に接続し、位相角制御モジュール１６から出力される電気エネルギーの波形に遅れ導通角があるか否か、及び遅れ導通角の角度を検知し、その結果をプロセッサー１８４Ｂに伝送する役割を果たしている。プロセッサー１８４Ｂには複数の制御モードがあり、代表的なモードとして、フル照明モード、プリセット照明モード及び照度調整モードが挙げられる。このうちいずれか一つの制御モードで電力変換回路１８２から出力される電気信号を制御してＬＥＤモジュール１０に光を発させて、位相角検知回路１８４Ａで検知された遅れ導通角の結果をもとにスイッチ１２２の状態を識別し、これをもとに制御モードの切り替えを行う。このうち：
【００３７】
フル照明モードとは、電力変換回路１８２の制御によりＬＥＤモジュール１０が定格出力相当の最大照度値を持つ光を発することができるモードである。
【００３８】
プリセット照明モードとは、電力変換回路１８２の制御によりＬＥＤモジュール１０がプリセットされた照度値を持つ光を発することができるモードである。本実施例では、プリセットされた照度値はデフォルトで最大照度値の半分に設定されており、このプリセットされた照度値を照度調整モードにて更新することもできる。
【００３９】
照度調整モードの場合、電力変換回路１８２を制御してＬＥＤモジュール１０に第１照度値と第２照度値との間で繰り返し変化する一つの光を発させて、プロセッサー１８４Ｂがスイッチ１２２の状態に変化があると検知すると、照度値変化の制御を停止し、その時ＬＥＤモジュール１０の発した光の照度値を記録したうえで、記録された照度値で古いプリセット照明モードの照度値を上書きし、これによりＬＥＤモジュール１０が新しくプリセットされた照度値を持つ光を発する。本実施例では、第１照度値は最大照度値で、第２照度値は最小照度値である。そのため、照度調整モードになると、ＬＥＤモジュール１０の光が最大照度値と最小照度値との間で変化し続けることになる。実際には、プロセッサー１８４Ｂによる電力変換回路１８２の制御でＬＥＤモジュール１０の発する光を第１、第２照度の間にある第３照度より増減させて、第１照度と第２照度の範囲内で変化させることもできる。第３照度は最大照度の２分の１に設定することができ、照度調整モードに切り替わると、先に中ぐらいの照度で発光させることができるため、使用者が照度の急激な変化による目の不快感を防ぐことができる。
【００４０】
スイッチ１２２が押されているときは、位相角制御モジュール１６から出力される電気エネルギーの波形のどの周期にも遅れ導通角が存在するため、プロセッサー１８４Ｂは遅れ導通角を持つ周期の数をもとにスイッチ１２２が押された時間の長さを計算して、制御モードの切り替えを行うことができる。
【００４１】
初期状態（交流電源Ｓが導通時）で、スイッチ１２２が押される前は、位相角制御モジュール１６がまだ交流電源Ｓの波形を変えておらず、位相角検知回路１８４Ａが検知した波形にも遅れ導通角がないため、プロセッサー１８４Ｂが電力変換回路１８２を制御してＬＥＤモジュール１０へ供給される電気エネルギーを遮断して、ＬＥＤモジュール１０を消灯状態にする。
【００４２】
スイッチ１２２が押されると、位相角検知回路１８４Ａが位相角制御モジュール１６から出力される電気エネルギーの波形に遅れ導通角があることを検知し、プロセッサー１８４Ｂがこれをもとスイッチ１２２の押された時間の長さを識別して然るべき制御を行う。
【００４３】
押す時間が予定時間（本実施例では１.２秒）より短いときは、プロセッサー１８４Ｂがフル照明モードに切り替わり、これによりＬＥＤモジュール１０が最大照度を持つ光を発する。
【００４４】
スイッチ１２２を再度押し、しかも押す時間が予定時間より短いときは、プロセッサー１８４Ｂがプリセット照明モードに切り替わり、これによりＬＥＤモジュールがプリセットされた照度値を持つ光を発する。
【００４５】
スイッチ１２２を再度押し、しかも時間が予定時間より短いときは、プロセッサー１８４Ｂは電力変換回路１８２を制御してＬＥＤモジュール１０に供給される電気エネルギーを遮断してＬＥＤモジュール１０を消灯状態にする。
【００４６】
使用者がプリセットされた照度値を変えたいときは、スイッチ１２２を予定時間以上に押せば、プロセッサー１８４Ｂが即時照度調整モードに切り替わり、設定されたプリセットされた照度値を変更できるよう状態になる。
【００４７】
このような構造で、ＬＥＤ照明システム１を建築物に応用する場合、スイッチ１２２及び位相角制御モジュール１６を建築物の壁に（制御端への取り付け）、駆動モジュール１８及びＬＥＤモジュール１０を建築物の壁または天井（負荷端への取り付け）にそれぞれ取り付けることになる。この場合、位相角制御モジュール１６と駆動モジュール１８を交流電源Ｓに接続された二本の電線で接続すれば作業が完了する。言い換えれば、建築物の従来の配線を利用するだけで、スイッチ１２２状態に対応する波形を駆動モジュール１８に伝送し、駆動モジュール１８がこれをもとにスイッチ１２２の状態を識別し、相応の電気信号を出力してＬＥＤモジュール１０を制御することができるようになる。
【００４８】
なお、上記装設方式はあくまで一実施例にすぎず、実際はこれに限定されず、必要に応じて各部品の装設位置を自由に調整することができる。
【００４９】
実際には、ＬＥＤモジュール１０は複数の第１ＬＥＤのような第１光源と複数の第２ＬＥＤのような第２光源を備えることもでき、これらの第１ＬＥＤの光色は第２ＬＥＤの光色と異なっても構わない。具体的に言うと、第１ＬＥＤの光色は寒色系（白い光、青い光など）で、第２ＬＥＤの光色は暖色系（黄色の光、赤い光など）という構造である。
【００５０】
駆動モジュール１８の電力変換回路１８２はこれらの第１ＬＥＤ及び第２ＬＥＤの照度比を別々に制御することができる。上記照度比とは、第１、第２ＬＥＤが発する光の照度値の最大照度値またはプリセットされた照度値に占める割合であって、これらの第１ＬＥＤと第２ＬＥＤとの照度比の組み合わせを利用することにより、ＬＥＤモジュール１０の発する光の色温度を調整できるようになる。
【００５１】
プロセッサー１８４Ｂが備える数々の制御モードのうち、フル照明モードには一つの第１照度比情報が含まれており、この第１照度比情報は、フル照明モードにおける第１、第２ＬＥＤの照度比を記録したものである。一方でプリセット照明モードには一つの第２照度比情報が含まれており、この第２照度比情報は、プリセット照明モードにおける第１、第２ＬＥＤの照度比を記録したものである。
【００５２】
プロセッサー１８４Ｂが備える制御モードにはさらに第１照度比情報または第２照度比情報の調整に用いられる一つの色度調整モードがある。プロセッサー１８４Ｂがフル照明モードまたはプリセット照明モードに切り替えた後、使用者がスイッチ１２２を押し続けて一定の時間（本実施例では４秒）を達すると、プロセッサー１８４Ｂの操作モードがこの色度調整モードに切り替わる。このうち：
【００５３】
色度調整モードでは、電力変換回路１８２制御によりＬＥＤモジュール１０が光を発し、照度値（最大照度値またはプリセットされた照度値）が変わらない状態で、ＬＥＤモジュール１０のこれらの第１ＬＥＤ及び第２ＬＥＤの照度比を繰り返し変え続け、プロセッサー１８４Ｂがスイッチ１２２の状態を識別すると、第１、第２ＬＥＤ照度比の変化が停止して、その時点の第１、第２ＬＥＤの照度比を記録し、記録された照度比でフル照明モードの従来の第１照度比情報またはプリセット照明モードの従来の第２照度比情報を上書きして、これにより第１、第２ＬＥＤが新しい照度比を持つ光を発する。
【００５４】
これにより、使用者はスイッチ１２２の押す時間の長さを変えるだけで、照度または色度を調整することができる。
【００５５】
次に、上記と同じ効果を実現できる他のいくつかの実施例について紹介する。
【００５６】
図３は本発明の第２実施例のＬＥＤ照明システム２を示すもので、上記第１実施例の構造をベースに、交流電源Ｓ及び位相角制御モジュール１６とそれぞれ電気的に接続された一つ切替スイッチ２０を増設した。切替スイッチ２０はＬＥＤモジュール１０の光をオンオフするのに用いられる。
【００５７】
本実施例では、切替スイッチ２０が導通すると、駆動モジュール１８のプロセッサー１８４Ｂがフル照明モードに切り替わり、その制御によりＬＥＤモジュール１０の光も最も明るい状態に変わる。同じように、スイッチ１２２の押す時間の長さを変えるだけで、プリセット照明モード、フル照明モードの間で切り替えを実現し、照度調整モードまたは色度調整モードに切り替えることができる。
【００５８】
図４は第３実施例の照明システム３であって、上記第２実施例の構造をベースにしているが、異なる点として、本実施例の入力インターフェイス２２には位相角制御モジュール１６に電気的に接続する二つのスイッチ２２２，２２４が含まれていることである。スイッチ２２２，２２４が押されて短絡状態になると、位相角制御モジュール１６が交流電源Ｓの波形の正半波周期に一つの遅れ導通角を生成してこれを出力する。なお、スイッチ２２２，２２４より生成される遅れ導通角の角度も異なっており、プロセッサー１８４Ｂは位相角検知回路１８４Ａによって検知された遅れ導通角の角度に対応するこれらのスイッチ２２２，２２４の押し状態をもとに制御モードの切り替えを行うことができる。
【００５９】
例えば、スイッチ２２２を短く押して（即ち押す時間が設定時間より短いとき）フル照明モードとプリセット照明モードの切り替えを行ったり、スイッチ２２２を長く押して（即ち押す時間が設定時間より長いとき）、照度調整モードに切り替えたりすることができる。
【００６０】
一方でプロセッサー１８４Ｂはさらに複数の色度をプリセットすることができ、プリセットされた各色度はそれぞれ第１、第２ＬＥＤの照度比に対応する。フル照明モードまたはプリセット照明モードになっている状態で、スイッチ２２４を短く押すと、いずれか一つのプリセット色度に切り替わり、プリセット色度で以前記録した第１照度比情報または第２照度比情報を上書きして、これにより第１、第２ＬＥＤが新しい照度比を持つ光を発することができる。
【００６１】
また、フル照明モードまたはプリセット照明モードの時に、スイッチ２２４を長く押すと、色度調整モードに切り替わってＬＥＤモジュール１０の色度を調整することもできる。
【００６２】
図５は第４実施例の照明システム４であって、その構造は上記第２実施例とほぼ同じだが、異なる点として、本実施例の入力インターフェイス２４には位相角制御モジュール１６に電気的に接続する三つのスイッチ２４２、２４４、２４６があることが挙げられる。スイッチ２４２、２４４、２４６を押すと、位相角制御モジュール１６は各スイッチ２４２、２４４、２４６に対応する特定角度を持つ遅れ導通角を生成する。また、本実施例のＬＥＤ照明システム４は３組の駆動モジュール２６２、２６４、２６６及びＬＥＤモジュール２８２、２８４、２８６を備えており、駆動モジュール２６２、２６４、２６６は特定の角度を識別するための遅れ導通角にそれぞれ対応していることから、各駆動モジュール２６２、２６４、２６６もスイッチ２４２、２４４、２４６の押し状態を検知して、ＬＥＤモジュール２８２、２８４、２８６を制御することができる。
【００６３】
例えば、スイッチ２４２が押されると、駆動モジュール２６２は、対応する遅れ導通角の角度を検知して押し時間を計算し、これをもとにＬＥＤモジュール２８２を制御することができる。
【００６４】
当然ながら、本実施例の入力インターフェイス２４のスイッチの数は３つに限られず、それ以上設定しても構わない。負荷端に対応した同じ数の駆動モジュール及びＬＥＤモジュールを設置することで、制御端による複数のＬＥＤモジュールの制御を実現することができる。
【００６５】
また、建築物の構造に合わせるため、上記第１実施例のＬＥＤ照明システムを図６に示す接続スタイルに設計し、２組の位相角制御モジュール１６及びスイッチ１２２を建築物の異なる位置に設けることで、異なる場所からＬＥＤモジュール１０を制御するといった活用法を実現することもできる。同じような構想で、第２、第３、第４実施例のＬＥＤ照明システムをそれぞれ図７〜図９に示す接続スタイルに設計し、２組の３回線スイッチ２９、位相角制御モジュール１６及び入力インターフェイス１２，２２，２４を建築物の異なる場所に設置し、使用者が異なる場所からＬＥＤモジュールを制御できるようにすることもできる。
【００６６】
図１０は第５実施例の照明システム５であって、一つの切替スイッチ３０、一つの入力インターフェイス３２、一つの位相角制御モジュール３４、一つの駆動モジュール３６及び一つのＬＥＤモジュール３８を備える。入力インターフェイス３２は一つの加減抵抗器３２２を備え、位相角制御モジュール３４はこの加減抵抗器３２２に電気的に接続して、加減抵抗器３２２の抵抗値を利用して加減抵抗器３２２の抵抗値の角度に対応する遅れ導通角を生成することができる。本実施例では、加減抵抗器３２２の抵抗値が大きければ大きいほど、それに対応する遅れ導通角の角度も大きくなる。逆に抵抗値が小さければ小さいほど遅れ導通角の角度も小さくなるが、加減抵抗器３２２の抵抗値が０Ωになっても、遅れ導通角の角度がゼロにならないため、これは即ち位相角制御モジュール３４から出力される電気エネルギーの波形に常に遅れ導通角が存在することを意味する。
【００６７】
一方で、駆動モジュール３６のプロセッサー３６２は位相角検知回路３６４で検知された遅れ導通角の角度をもとに加減抵抗器３２２の抵抗値を計算し、そして抵抗値の変化に合わせるように電力変換回路３６６を制御して必要な電気信号をＬＥＤモジュール３８に出力して制御を行う。例えば、抵抗値の変化を利用してＬＥＤモジュール３８の照度を調整したり、ＬＥＤモジュール３８の色度を調整したりすることができる。
【００６８】
図１１は第６実施例のＬＥＤ照明システム６であって、その構造は第２実施例とほぼ同じで、複数の駆動モジュール４０及びＬＥＤモジュール４２のセットを備える。各セットに一つの相角検知回路４０２、一つのプロセッサー４０４と一つの電力変換回路４０６があり、各駆動モジュール４０及びＬＥＤモジュール４２セットも異なる場所に設置されている。使用者は、切替スイッチ２０を介してこれらの駆動モジュール４０を同時に操作して、それぞれに接続されたＬＥＤモジュール４２を点灯・消灯させることができる。スイッチ１２２を押すと、その時間と回数に応じて、各駆動モジュール４０のプロセッサー４０４がフル照明モード、プリセット照明モード、照度調整モードと、異なる制御モードの間で順番に切り替わっていく。
【００６９】
照度調整モードでは、各駆動モジュール４０のプロセッサー４０４がそれぞれに接続された電力変換回路４０６を制御してＬＥＤモジュールの発する光が第１照度と第２照度との間で変化するように駆動し、各プロセッサー４０４がスイッチ１２２の状態の変化を検知すると、照度変化の制御が停止して、各ＬＥＤモジュール４２のその時点の光の照度を記録して、各プロセッサー４０４にあるプリセット照明モードの古いプリセット照度を上書きする。
【００７０】
実際には、これらのプロセッサー４０４は、プロセッサー４０４自身の製造工程の違いや温度変化、電圧の不安定及びその他の要素による影響で、出力される信号に時序上の偏差が生じやすく、カウントの誤差の原因にもなり得る。その結果、照度調整モードのとき、これらのプロセッサー４０４がそれぞれ制御するＬＥＤモジュール４２の照度変化タイミングに誤差が生じてしまうことになる。これらのＬＥＤモジュール４２が発する光が繰り返して変化する時間や回数が増えれば増えるほど、ＬＥＤモジュール４２の間の照度差も大きくなり、これが原因となってスイッチ１２２の状態が変わると各プロセッサー４０４に記録された照度がどれも異なってしまい、結果的にはＬＥＤモジュール４２がプリセットされた照度と異なる光を発してしまうことになる。
【００７１】
上記のような事態を避けようと、本実施例では、照度調整モードにおいて、プロセッサー４０４が同じタイミングでそれぞれに接続された電力変換回路４０６を同時に制御することを可能にした同期機能を導入した。各位相角検知回路４０２で検知された位相角制御モジュール１６から出力される電気エネルギーの波形を利用することで、プロセッサー４０４がそれぞれの交流電源Ｓの周期を取得し、交流電源Ｓの周期の中から同期用の基準点を定めることができる。本実施例では、各周期のうち最初のゼロクロス点（zero crossing）を基準点としている。各プロセッサー４０４は、この基準点を検測する度に、電力変換回路４０６を制御してＬＥＤモジュール４２の発する光の照度差値を増加または減少させている。
【００７２】
例えば、第１照度を「１００」、第２照度を「１０」、照度差値を「１」として、照度調整モードに切り替わった後、交流電源Ｓ周期の最初のゼロクロス点になると各プロセッサー４０４が電力変換回路４０６を駆動してＬＥＤモジュール４２の発する照度を「１００」になるよう制御する。その後の各周期の最初のロクロス点において、照度差値「１」を少しずつ減らし、照度が「１０」になると今度は一転して、交流電源Ｓ一つの周期につき照度差値「１」と少しずつ増やし、これを「１００」になるまで続けた後、同じ要領でこれを繰り返し、第１照度と第２照度との間で変化させる。
【００７３】
交流電源Ｓの波形を同期の目安にして、どのプロセッサー４０４も常に同じタイミングでその照度を変えることで、ＬＥＤモジュール４２の照度変化の同調性を実現し、各プロセッサー４０４の別々なＬＥＤモジュール４２照度制御による各ＬＥＤモジュール４２の照度が異なるのを防ぐことができる。当然ながら、実際には、交流電源Ｓの各周期から二つのゼロクロス点を指定して同期の基準点にしたり、波形のピーク値を基準点にした場合でも、同期効果を実現することができる。
【００７４】
実際には、各ＬＥＤモジュール４２は複数の第１ＬＥＤ及び複数の第２ＬＥＤを備え、しかも第１ＬＥＤの光色は第２ＬＥＤの光色と異なっている。各プロセッサー４０４の制御モードにはさらに各ＬＥＤモジュール４２の色度を調整するための一つの色度調整モードがあり、各プロセッサー４０４でこの色度調整モードを操作するときは、交流電源Ｓの波形を同期の根拠とすることができ、即ち各プロセッサー４０４が各周期の基準点をもとに各ＬＥＤモジュール４２の第１ＬＥＤ及び第２ＬＥＤの照度比を調整し、各ＬＥＤモジュール４２が同じタイミングで色度を変えるようにすることで、これらのＬＥＤモジュール４２の色度に相違が生じるのを防ぐことができる。
【００７５】
上記各実施例は、いずれもＬＥＤモジュールを例に本発明の照明システム及び位相角信号伝送装置を説明しているが、本発明の照明システムの場合、ＬＥＤモジュールに限らず、蛍光灯、放電ランプなど他のタイプの照明具にも応用することができ、タイプが異なる照明具でも対応する電力変換回路さえ選択すれば照明具を駆動することができる。
【００７６】
上記を要約すると、位相角制御モジュールと駆動モジュールとから構成される位相角信号伝送装置を利用して、電力波形の遅れ導通角を介して入力インターフェイスの状態を制御端から負荷端に伝送する形で、負荷を制御するための入力インターフェイスの状態に対応した電気信号を出力している。言い換えれば交流電源の波形を利用して信号を伝送している。従来の信号伝送方式に比べ、本発明の場合は、配線を新規増設したり、または無線信号伝送装置で信号を伝送したりする必要がなく、照明システムの導入コストを減らせるというメリットがある。
【００７７】
上記実施例はあくまでも本発明の推奨する実施態様にすぎず、上記実施形態に加えるあらゆる実質上の簡単な変更、同等な変化および改良は、いずれも本発明の技術的範囲に含まれる。
【符号の説明】
【００７８】
１〜５  …  照明システム
１０，３８，４２  …  ＬＥＤモジュール
１２，２２，２４，３２  …  入力インターフェイス
１４  …  位相角信号伝送装置
１６，３４  …  位相角制御モジュール
１８，３６，４０  …  駆動モジュール
２０，３０  …  切替スイッチ
２９  …  ３回線スイッチ
１２２  …  スイッチ
１８２，３６６，４０６  …  電力変換回路
１８４  …  制御ユニット
１８４Ａ，３６４，４０２  …  位相角検知回路
１８４Ｂ，３６２，４０４  …  プロセッサー
１２２，２２２，２２４，２４２，２４４，２４６  …  スイッチ
２６２，２６４，２６６  …  駆動モジュール
２８２，２８４，２８６  …  ＬＥＤモジュール
３２２  …  加減抵抗器
Ｓ  …  交流電源
【図１】
2016523428.tif 000003
【図２Ａ】
2016523428.tif 000004
【図２Ｂ】
2016523428.tif 000005
【図３】
2016523428.tif 000006
【図４】
2016523428.tif 000007
【図５】
2016523428.tif 000008
【図６】
2016523428.tif 000009
【図７】
2016523428.tif 000010
【図８】
2016523428.tif 000011
【図９】
2016523428.tif 000012
【図１０】
2016523428.tif 000013
【図１１】
2016523428.tif 000014
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
照明システムであって、
制御可能な状態で第１状態と第２状態との間で切り替わる入力インターフェイスと、
一つの交流電源及び入力インターフェイスに電気的に接続し、入力インターフェイスが第１状態にあるときは、交流電源の波形を変えて、交流電源の波形の半波周期に一つの遅れ導通角を生成してこの遅れ導通角を出力する位相角制御モジュールと、
制御可能な状態で発光できる照明具と、
前記位相角制御モジュール及び前記照明具に電気的に接続し、一つのプリセット照明モード及び一つの照度調整モードがあり、前記位相角制御モジュールから出力される電気エネルギーを受け取った後、前記遅れ導通角をもとにモードの切り替えを行う駆動モジュールと、を備え、
前記プリセット照明モードは前記照明具を駆動してプリセットされた照度を持つ光を発することができ、
前記照度調整モードの駆動により前記照明具が発する光が第１照度と第２照度との間で変化し、前記入力インターフェイスの状態が変わると、その輝度変化の制御が停止し、前記照明具のその時点の光の照度を記録した後、記録された照度が前記プリセット照明モードで前記プリセットされた照度を上書きして、これにより前記照明具が新しいプリセット照度を持つ光を発する照明システム。
【請求項２】
前記入力インターフェイスは第２状態において、前記位相角制御モジュールから出力される電気エネルギーの波形に遅れ導通角を生成しない請求項１に記載の照明システム。
【請求項３】
前記駆動モジュールは、互いに電気的に接続された一つの電力変換回路、一つの位相角検知回路及び一つのプロセッサーを備え、
前記電力変換回路は前記位相角制御モジュール及び前記照明具に電気的に接続し、前記位相角制御モジュールから出力される電気エネルギーを前記照明具に必要な電気エネルギーに変える役割を果たし、
前記位相角検知回路は前記位相角制御モジュール電気的に接続し、前記遅れ導通角を検知し、
前記プロセッサーにはいくつかのモードが内蔵されており、前記プロセッサーは前記位相角検知回路で検知された遅れ導通角をもとにモードの切り替えを行い、電力変換回路を制御して照明具に光を発させている請求項１に記載の照明システム。
【請求項４】
前記照度調整モードは、前記照明具が発する光が前記第１、第２照度の間にある第３照度から変化するよう駆動する請求項１または請求項３に記載の照明システム。
【請求項５】
複数の前記照明具と複数の前記駆動モジュールを備え、前記各位相角検知回路は前記位相角制御モジュールから出力される電気エネルギーの波形を検知することができ、前記各プロセッサーが前記照度調整モードに切り替わると、前記各プロセッサーは前記各位相角検知回路で検知された波形の周期の少なくとも一つの基準点において、前記各照明具が発生する光の照度差値を変えていく請求項３に記載の照明システム。
【請求項６】
前記基準点は前記各位相角検知回路で検知された波形の周期のゼロクロス点（ｚｅｒｏ  ｃｒｏｓｓｉｎｇ）である請求項５に記載の照明システム。
【請求項７】
前記基準点は前記各位相角検知回路で検知された波形の周期のピーク値である請求項５に記載の照明システム。
【請求項８】
前記駆動モジュールにはさらに一つのフル照明モードがあり、前記フル照明モードの駆動により前記照明具は許容された最大照度の光を発することができる請求項１に記載の照明システム。
【請求項９】
前記照明具は複数の第１光源及び複数の第２光源を備え、前記第１光源の光色は前記第２光源の光色と異なっており、
前記プリセット照明モードには一つの輝度比情報が含まれており、前記輝度比情報は前記プリセット照明モードのときに，前記第１、第２光源の輝度比を記録したものであり、
前記輝度比とは、前記第１、第２光源が発した光の照度がプリセットされた照度に占める割合であり、
前記駆動モジュールにはさらに一つの色度調整モードがあって、前記色度調整モードの駆動により照明具が光を発し、前記プリセットされた照度を変えることなく、前記照明具の前記第１光源及び前記第２光源の輝度比を何度も変えて、前記入力インターフェイスの状態が変わると、前記第１、第２光源の輝度比の変化制御が停止し、その時点の前記第１、第２光源の輝度比を記録し、記録された輝度比でプリセット照明モードの古い輝度比情報を上書きして、これにより前記第１、前記第２光源が新しい輝度比を持つ光を発する請求項１に記載の照明システム。
【請求項１０】
前記遅れ導通角の角度が９０度又はそれ以下である請求項１に記載の照明システム。
【請求項１１】
前記遅れ導通角は前記交流電源の波形の正半波より生成されている請求項１に記載の照明システム。
【請求項１２】
前記入力インターフェイスは一つのスイッチを備え、前記スイッチはノーマルオープン式押しボタンスイッチで、前記スイッチが押されると前記第１状態である短絡状態になり、前記スイッチが押されていない時は自動的にリセットされて第２状態である開路状態になる請求項１または請求項２に記載の照明システム。
【請求項１３】
前記入力インターフェイスは複数の前記スイッチを備え、これらのスイッチが押されると、前記位相角制御モジュールは対応する異なる角度の前記遅れ導通角を生成し、前記駆動モジュールは前記遅れ導通角の角度をもとに前記スイッチの状態を識別し、前記スイッチの状態をもとにモードの切り替えを行う請求項１２に記載の照明システム。
【請求項１４】
交流電源と照明具との間に設けられる位相角信号伝送装置であって、
制御可能な状態で短絡状態と開路状態との間で切り換えられるスイッチと、
前記交流電源及び前記スイッチに電気的に接続し、前記スイッチが短絡状態にあるときは前記交流電源の波形を変えて前記交流電源の波形の半波周期に遅れ導通角を生成してからこの遅れ導通角を出力し、前記スイッチが開路状態のときは出力される電気エネルギーの波形に前記遅れ導通角が生成されない性質を持つ位相角制御モジュールと、
前記位相角制御モジュール及び前記照明具に電気的に接続し、前記位相角制御モジュールから出力される電気エネルギーを受け取り、前記遅れ導通角をもとに前記スイッチの状態を判断して対応する電気信号を発生して前記照明具の発する光を制御する駆動モジュールと、
を備える位相角信号伝送装置。
【国際調査報告】
2016523428.tif 000015
2016523428.tif 000016
2016523428.tif 000017
2016523428.tif 000018